(57)【要約】【課題】柔軟な料金支払い、情報管理の安全性を高めることができるようにする。【解決手段】権利管理部１０１５の制御の下に、情報記録媒体１０１２への記録及び再生が行なわれる。情報記録媒体１０１２への記録を制御する場合、権利管理部１０１５は、制御信号１１６によって、情報記録機能が制御される。情報記録媒体１０１２からの再生を制御する場合には、権利管理部１０１５においては、情報記録媒体１０１２に記録されている情報のうち、その情報自身の種類や再生条件などの情報１１８を読み出す。それが表示情報１１５として表示部１０１７に送って表示される。【選択図】図６
2006202309.tif 000002
【特許請求の範囲】
【請求項１】
再生情報提供装置から提供される再生情報を記録再生装置において再生する権利を権利提供装置から提供される情報に基づいて管理する権利管理方法において、
前記再生情報を提供する前記再生情報提供装置から前記記録再生装置に前記再生情報を送信し、
前記権利提供装置から、対価の支払いと引き替えに、前記再生情報を再生可能な回数に相当する権利管理情報を前記記録再生装置に送信し、
前記再生情報を前記記録再生装置に記録し、
前記権利提供装置から送信された前記権利管理情報に対応する回数だけ前記再生情報の再生を許可するように前記記録再生装置において前記再生情報の再生を制御し、
前記再生情報の再生が許可された場合、前記記録再生装置において前記再生情報を再生する
権利管理方法。
【請求項２】
前記記録再生装置における制御において再生を許可した場合、前記記録再生装置に記録されている前記権利管理情報に記述されている再生可能な回数を減じ、
前記権利管理情報に記述された再生可能な回数が再生に必要な回数に満たない場合、前記再生情報の再生を禁止する
請求項１に記載の権利管理方法。
【請求項３】
前記権利提供装置と前記記録再生装置との間で暗号鍵を用いた認証処理を実行した後、前記権利提供装置から前記記録再生装置に前記権利管理情報を送信する
請求項１に記載の権利管理方法。
【請求項４】
更に、前記記録再生装置において前記再生情報を再生した回数を記録する
請求項１に記載の権利管理方法。
【請求項５】
再生に供される再生情報を記録、再生する記録再生装置において、
前記再生情報を提供する再生情報提供装置から送信される前記再生情報を受信する第１の受信手段と、
前記第１の受信手段により受信された前記再生情報を記録する第１の記録手段と、
権利提供装置から対価の支払いと引き替えに送信される、前記再生情報の再生可能な回数に相当する情報を受信する第２の受信手段と、
前記第２の受信手段により受信された前記情報に対応する回数だけ前記再生情報の再生を許可する制御手段と、
前記制御手段によって前記再生情報の再生が許可された場合に前記再生情報を再生する再生手段と
を備える記録再生装置。
【請求項６】
前記第２の受信手段により受信された再生可能な回数に相当する前記情報を権利管理情報として記録する第２の記録手段をさらに備え、
前記制御手段は前記第２の記録手段に記録されている前記権利管理情報に基づいて再生を許可する
請求項５に記載の記録再生装置。
【請求項７】
前記制御手段は、再生を許可した場合、前記第２の記録手段に記録されている前記権利管理情報に記述されている再生可能な回数を減じ、前記権利管理情報に記述された再生可能な回数が再生に必要な回数に満たない場合、再生を禁止する
請求項６に記載の記録再生装置。
【請求項８】
前記権利提供装置との暗号鍵を用いた認証処理を実行する認証手段をさらに備え、
前記第２の受信手段は、認証処理が実行された後、再生可能な回数に相当する前記情報を受信する
請求項７に記載の記録再生装置。
【請求項９】
前記再生情報を再生した回数を記録する第３の記録手段をさらに備える
請求項６に記載の記録再生装置。
【請求項１０】
再生に供される再生情報を再生する権利を記録再生装置に提供する権利提供装置において、
再生情報提供装置から前記記録再生装置に提供された前記再生情報を対価の支払いと引き替えに、前記記録再生装置が再生可能な回数に相当する情報を送信する送信手段を備え、
前記再生情報は前記権利提供装置から送信された前記情報に対応する回数だけ前記記録再生装置における再生が許可される
権利提供装置。
【請求項１１】
前記送信手段により送信された再生可能な回数に相当する前記情報は権利管理情報として前記記録再生装置に記録され、
前記記録再生装置に記録されている前記権利管理情報に基づいて再生を許可することで前記再生情報の再生が管理される
請求項１０に記載の権利提供装置。
【請求項１２】
前記記録再生装置との間で暗号鍵を用いた認証処理を実行する認証手段をさらに備え、
前記送信手段は、認証処理が実行された後、再生可能な回数に相当する前記情報を送信する
請求項１０に記載の権利提供装置。
【請求項１３】
前記認証手段は暗号鍵で所定の情報を暗号化し、
前記所定の情報が暗号化されて得られた暗号化データは前記記録再生装置において復号され、復号により得られたデータと前記所定の情報とが比較されることにより認証が行われる
請求項１２に記載の権利提供装置。
【請求項１４】
再生に供される再生情報を記録、再生する記録再生装置において、
前記再生情報を提供する再生情報提供装置から送信される前記再生情報を受信する第１の受信手段と、
前記第１の受信手段により受信された前記再生情報を記録する記録手段と、
権利提供装置から対価の支払いと引き替えに送信される、前記再生情報の再生可能な有効期限に相当する権利管理情報を受信する第２の受信手段と、
前記第２の受信手段により受信された前記権利管理情報に対応する前記有効期限の期間だけ前記再生情報の再生を許可する制御手段と、
前記制御手段によって再生が許可された場合に前記再生情報を再生する再生手段と
を備える記録再生装置。
【請求項１５】
前記制御手段は、前記再生情報の再生要求を受けたときの日付時刻が、前記有効期限内である場合、前記再生情報の再生を許可し、前記有効期限を経過している場合、前記再生情報の再生を禁止する
請求項１４に記載の記録再生装置。
【発明の詳細な説明】
【技術分野】
【０００１】
本発明は権利管理方法、記録再生装置、および権利提供装置に関し、特に、特に、ニュース、音楽等の情報の提供に対する柔軟な料金支払いと、情報管理の安全性を高めることができるようにした権利管理方法、記録再生装置、および権利提供装置に関する。
【背景技術】
【０００２】
従来より、例えば、特開平３−１１８６９０号に述べられているように、「無線、または有線により情報送出用の制御機に接続され、情報入力手段、該入力手段より入力した情報を情報記録媒体へ記録する記録手段、該情報記録媒体の排出口、および決済手段から構成されたことを特徴とする情報記録装置」という技術が知られている。
【０００３】
これを用いれば、例えば、手持ちのカセットテープを情報記録装置にセットし、コイン、カード、使用度数管理等の決済処理をすることにより情報記録装置を介してニュース、音楽等の情報をダビングし、提供することができる。そして、従来例では、以下の方法が記載されている。利用者は、上記情報記録装置の挿入口にカセットテープ等の記録媒体を挿入するとともに、コインの投下および情報の選択を行なう。そして、上記情報記録装置は、それらに基づいて挿入された上記情報記録媒体に情報をダビングし、挿入口と同一の排出口から上記記録媒体を排出する。
【０００４】
一方、流行歌などの音楽やクイズ等を供給する媒体として、ラジオやテレビ等の放送が利用されることが多い。
【０００５】
【特許文献１】特開平３−１１８６９０号公報
【発明の開示】
【発明が解決しようとする課題】
【０００６】
従来例の方法では、カセットテープ等、ダビング速度が遅い場合には問題にならない。ところが、例えば、半導体メモリを用いた記録媒体へのダビングを考えた場合には、情報提供は瞬時に行なうことが可能である。しかし、その場合に、記録媒体へのダビングは瞬時に終了するにも拘わらず、いちいちコイン等を使用して決済を行なうのでは、情報入手者にコイン投入等の余分な負担がかかることになり、時間もかかる。そのため、従来例では、例えば駅などで多くの人が情報を入手しようとしても、電車の待ち合わせ時など、限られた時間内に情報が得られる人数には限りができてしまうことになる。
【０００７】
また、従来例では、各利用者の情報選択動作やコインの投入動作とともに、情報記録装置の記録媒体の吸引、排出作用が隘路となり、各利用者は、これらの作用が終了するまで情報記録装置を占有することになる。そのため、従来例では、多くの利用者に迅速に情報を供給することができなかった。
【０００８】
さらに、従来例では、上記情報記録媒体への記録時に決済がなされる。ところが、例えば、記録された情報のうち、情報入手者に興味があるのは、そのほんの一部だけで、実際にはその部分しか再生しなかった場合がある。しかし従来例では、そうした場合でも、決済は情報記録時に行なわれているので、情報入手者は、すべての情報に対する料金を払わなければならないという不都合が生じる場合がある。
【０００９】
また、従来、放送局は一方的に番組を流すだけである。従って、従来例においては、視聴者が、実際にそれらの番組をどのように視聴しているかの実態や、どの曲に人気があるかといった情報を把握することは困難であった。また、例えば、クイズ番組においても、従来例においては、視聴者の正当率を把握したり、視聴者同士で正当率を競ったりすることは困難であった。
【００１０】
これに対し、双方向機能を持ったＣＡＴＶを使用して、これらの情報を把握するという方法も提案されている。しかし、これらは視聴のための装置が屋内に固定されているため、屋外での視聴者の状況を知るためには適用できない、という欠点があった。
【００１１】
また、一般に、正当な権利管理情報更新装置は、厳重に管理することが可能である。しかし、情報記録（再生）装置は多数の人が使用するため、厳重に管理することが難しい。しかも、不当な権利管理情報更新装置が１台でもできると、それによって多数の情報記録（再生）装置内の残度数が更新され得るので危険である。
【００１２】
本発明はこのような状況に鑑みてなされたものであり、情報の提供に対する柔軟な料金支払いと、情報管理の安全性を高めることができるようにする。
【課題を解決するための手段】
【００１３】
本発明の第１の側面は、再生情報提供装置から提供される再生情報を記録再生装置において再生する権利を権利提供装置から提供される情報に基づいて管理する権利管理方法であって、前記再生情報を提供する前記再生情報提供装置から前記記録再生装置に前記再生情報を送信し、前記権利提供装置から、対価の支払いと引き替えに、前記再生情報を再生可能な回数に相当する権利管理情報を前記記録再生装置に送信し、前記再生情報を前記記録再生装置に記録し、前記権利提供装置から送信された前記権利管理情報に対応する回数だけ前記再生情報の再生を許可するように前記記録再生装置において前記再生情報の再生を制御し、前記再生情報の再生が許可された場合、前記記録再生装置において前記再生情報を再生する権利管理方法である。
【００１４】
前記記録再生装置における制御において再生を許可した場合、前記記録再生装置に記録されている前記権利管理情報に記述されている再生可能な回数を減じ、前記権利管理情報に記述された再生可能な回数が再生に必要な回数に満たない場合、前記再生情報の再生を禁止することができる。
【００１５】
前記権利提供装置と前記記録再生装置との間で暗号鍵を用いた認証処理を実行した後、前記権利提供装置から前記記録再生装置に前記権利管理情報を送信するようにすることができる。
【００１６】
更に、前記記録再生装置において前記再生情報を再生した回数を記録することができる。
【００１７】
本発明の第１の側面においては、再生情報を提供する再生情報提供装置から記録再生装置に前記再生情報が送信され、権利提供装置から、対価の支払いと引き替えに、前記再生情報を再生可能な回数に相当する権利管理情報が前記記録再生装置に送信され、前記再生情報が前記記録再生装置に記録され、前記権利提供装置から送信された前記権利管理情報に対応する回数だけ前記再生情報の再生を許可するように前記記録再生装置において前記再生情報の再生が制御され、前記再生情報の再生が許可された場合、前記記録再生装置において前記再生情報が再生される。
【００１８】
本発明の第２の側面は、再生に供される再生情報を記録、再生する記録再生装置であって、前記再生情報を提供する再生情報提供装置から送信される前記再生情報を受信する第１の受信手段と、前記第１の受信手段により受信された前記再生情報を記録する第１の記録手段と、権利提供装置から対価の支払いと引き替えに送信される、前記再生情報の再生可能な回数に相当する情報を受信する第２の受信手段と、前記第２の受信手段により受信された前記情報に対応する回数だけ前記再生情報の再生を許可する制御手段と、前記制御手段によって前記再生情報の再生が許可された場合に前記再生情報を再生する再生手段とを備える記録再生装置である。
【００１９】
記録再生装置には、前記第２の受信手段により受信された再生可能な回数に相当する前記情報を権利管理情報として記録する第２の記録手段をさらに設け、前記制御手段には前記第２の記録手段に記録されている前記権利管理情報に基づいて再生を許可させることができる。
【００２０】
前記制御手段には、再生を許可した場合、前記第２の記録手段に記録されている前記権利管理情報に記述されている再生可能な回数を減じさせ、前記権利管理情報に記述された再生可能な回数が再生に必要な回数に満たない場合、再生を禁止させることができる。
【００２１】
記録再生装置には、前記権利提供装置との暗号鍵を用いた認証処理を実行する認証手段をさらに設け、前記第２の受信手段には、認証処理が実行された後、再生可能な回数に相当する前記情報を受信させることができる。
【００２２】
記録再生装置には、前記再生情報を再生した回数を記録する第３の記録手段をさらに設けることができる。
【００２３】
本発明の第２の側面においては、再生情報を提供する再生情報提供装置から送信される前記再生情報が受信され、受信された前記再生情報が記録され、権利提供装置から対価の支払いと引き替えに送信される、前記再生情報の再生可能な回数に相当する情報が受信され、受信された前記情報に対応する回数だけ前記再生情報の再生が許可され、前記再生情報の再生が許可された場合に前記再生情報が再生される。
【００２４】
本発明の第３の側面は、再生に供される再生情報を再生する権利を記録再生装置に提供する権利提供装置であって、再生情報提供装置から前記記録再生装置に提供された前記再生情報を対価の支払いと引き替えに、前記記録再生装置が再生可能な回数に相当する情報を送信する送信手段を備え、前記再生情報は前記権利提供装置から送信された前記情報に対応する回数だけ前記記録再生装置における再生が許可される権利提供装置である。
【００２５】
前記送信手段により送信された再生可能な回数に相当する前記情報は権利管理情報として前記記録再生装置に記録され、前記記録再生装置に記録されている前記権利管理情報に基づいて再生を許可することで前記再生情報の再生が管理されるようにすることができる。
【００２６】
権利提供装置には、前記記録再生装置との間で暗号鍵を用いた認証処理を実行する認証手段をさらに設け、前記送信手段には、認証処理が実行された後、再生可能な回数に相当する前記情報を送信させることができる。
【００２７】
前記認証手段には暗号鍵で所定の情報を暗号化させ、前記所定の情報が暗号化されて得られた暗号化データは前記記録再生装置において復号され、復号により得られたデータと前記所定の情報とが比較されることにより認証が行われるようにすることができる。
【００２８】
本発明の第３の側面においては、再生情報提供装置から記録再生装置に提供された再生情報を対価の支払いと引き替えに、前記記録再生装置が再生可能な回数に相当する情報が送信され、前記再生情報は前記権利提供装置から送信された前記情報に対応する回数だけ前記記録再生装置における再生が許可される。
【００２９】
本発明の第４の側面は、再生に供される再生情報を記録、再生する記録再生装置であって、前記再生情報を提供する再生情報提供装置から送信される前記再生情報を受信する第１の受信手段と、前記第１の受信手段により受信された前記再生情報を記録する記録手段と、権利提供装置から対価の支払いと引き替えに送信される、前記再生情報の再生可能な有効期限に相当する権利管理情報を受信する第２の受信手段と、前記第２の受信手段により受信された前記権利管理情報に対応する前記有効期限の期間だけ前記再生情報の再生を許可する制御手段と、前記制御手段によって再生が許可された場合に前記再生情報を再生する再生手段とを備える記録再生装置である。
【００３０】
前記制御手段には、前記再生情報の再生要求を受けたときの日付時刻が、前記有効期限内である場合、前記再生情報の再生を許可させ、前記有効期限を経過している場合、前記再生情報の再生を禁止させることができる。
【００３１】
本発明の第４の側面においては、再生情報を提供する再生情報提供装置から送信される前記再生情報が受信され、受信された前記再生情報が記録され、権利提供装置から対価の支払いと引き替えに送信される、前記再生情報の再生可能な有効期限に相当する権利管理情報が受信され、受信された前記権利管理情報に対応する前記有効期限の期間だけ前記再生情報の再生が許可され、再生が許可された場合に前記再生情報が再生される。
【発明の効果】
【００３２】
本発明によれば、柔軟な料金支払いが可能となる。また、本発明によれば、情報管理の安全性を高めることが可能となる。
【発明を実施するための最良の形態】
【００３３】
以下、本発明の好ましい実施例について、図面を参照しながら説明する。図１は、本発明の方法による情報提供収集装置の一実施例における情報記録再生装置の外観を示したものである。この実施例の装置の一端には、情報提供装置結合端子が付いている。ここを通じて、情報提供装置から情報記録再生装置内に設置された記録媒体に情報がコピーされる。また、この実施例の装置の前面には、表示手段としての表示部と、再生選択手段としての再生選択ボタンが装備されている。
【００３４】
次に、その動作について説明する。上記表示部は、上記情報記録再生装置内に記録された情報の内容を表示することができる。情報提供収集装置の使用者は、上記表示部に表示されたものをもとに、ボタン等の再生選択手段を用いて必要な情報を選択的に再生することができる。情報の内容は、テキスト情報、音声情報、映像情報およびコンピュータプログラム等を含み、特に限定されない。ここでプログラムの再生とは、そのプログラムを実行することを意味するが、この場合、実行時に使用者が必要に応じて情報を入力しても良い。再生信号がテキストや映像信号の場合には、その再生信号は液晶装置等でできた表示部に表示され、音声情報の場合にはイアホンに出力される。図１の実施例には描かれていないが、もちろんイアホンのかわりに、スピーカが装備されていても良く、あるいは、その両方が装備されていても良い。その場合には、スピーカに音声情報の再生結果が出力されても良い。
【００３５】
やはり図１の実施例には描かれていないが、さらに再生信号は、外部端子が設けられて外部のＣＲＴやスピーカー等に接続されてもよい。なお、記録媒体の種類も、特に限定はない。しかし、一般的に、記録媒体は、高速にコピーが可能で、かつ、ランダムアクセスが容易で、携帯性にも優れたＩＣメモリが使用されると便利である。
【００３６】
図２は、本発明のもう１つの実施例の外観図である。この例では、図１の情報記録再生装置が、情報記録装置と情報再生装置とに物理的に分離して構成されている。そして、情報記録装置は１枚のカードに実装されている。ただし、再生時には、上記情報記録装置と上記情報再生装置との間でデータおよび制御のやりとりが必要になるので、両者を結合する情報提供装置結合端子及び情報再生装置結合端子が上記情報記録装置及び上記情報再生装置に装備されている。ただし、上記情報記録装置の上記情報記録装置結合端子及び上記情報再生装置結合端子は、実際には１つの端子を切り替えて使用されるように構成されることも可能である。その動作については、図１と同様であり、ここでは省略する。
【００３７】
図３は、本発明に係わる情報提供収集装置の一実施例における情報提供装置の外観図である。情報提供装置内には記録媒体が設置され、情報が記録されている。図３では省略されているが、記録する情報においては、有線または無線による情報伝達手段によって送信するようにすると便利である。ただし、もちろん、記録済みの記録媒体が直接に上記情報提供装置に挿入されても良い。
【００３８】
図３の実施例の情報提供装置の前面には、記録されている情報の内容や価格等を表示する表示手段としての表示部が装備されている。また、上記情報提供装置の前面には、どの情報を情報提供手段から出力するかを選択する出力選択手段としての出力選択ボタンが装備されている。そして、その出力選択ボタンにより、情報入手希望者は欲しい情報を選択することができる。さらに、上記情報提供装置の前面には、情報記録再生装置または情報記録装置を挿入するための挿入排出口が備えてある。その動作について説明する。情報の入手は、上記情報提供装置の挿入排出口に情報記録再生装置または情報記録装置が挿入され、情報のコピーを受けることによって実現される。
【００３９】
図４は、本発明に係わる情報提供収集装置のもう１つの実施例における情報提供装置の外観図である。この実施例では、挿入口と排出口が距離を置いて分離されている。そして、情報提供装置内には、情報記録装置を運ぶベルトが備えてある。その動作について説明する。上記挿入口から情報記録装置が挿入されると、その情報記録装置は上記ベルトに運ばれて排出口から出てくる。そして、情報入手希望者は歩きながら情報の入手をすることができる。以上のように、この実施例は多くの人に迅速に情報を提供する場合に便利である。
【００４０】
図５は、本発明の情報提供収集装置の一実施例における情報提供装置のブロック図である。図５において、情報記録媒体１００３は、ハードディスクや光磁気ディスク等、何であっても良い。しかし、一般的には、ランダムアクセスが可能で、情報記録再生装置の記録速度と同等の読み出しが可能であると効率が良い。そのため、記録媒体１００３は、ＩＣメモリによって構成されていると便利である。情報記録媒体１００３は、情報出力部１００４に接続され、情報出力部１００４は、制御部１００５に接続されている。制御部１００５には、出力選択部１００６及び表示部１００７に接続されている。そして、以上の構成により、情報提供装置１００１を成している。一方、情報記録媒体１００３は情報伝達部１００２にも接続されている。
【００４１】
次に、その動作について説明する。情報１０１が、有線、無線等の情報伝達部１００２によって送られ、情報記録媒体１００３に記録される。その情報記録媒体１００３から読みだされた情報１０２は、情報出力部１００４を通して信号１０３として出力される。情報出力部１００４は制御部１００５により情報の出力制御を受ける。制御部１００５は、表示部１００７に情報の内容や提供条件、情報提供処理過程の経過等の信号１０５を送る。それと共に、制御部１００５は、情報入手希望者が出力選択部１００６を通じて入力した出力選択情報１０４を受け取る。そして、制御部１００５は、図６に示す情報記録再生装置１０１１の権利管理部１０１５と後述する内容の通信１０７を行なう。その結果に基づいて、信号１０６により情報出力部１００４の制御が行なわれる。その制御に基づいて、情報出力部１００４は、情報記録媒体１００３から読みだした情報１０２を情報記録再生装置１０１１に信号１０３として出力する。
【００４２】
図６は、本発明の情報提供収集装置の一実施例における情報記録再生装置のブロック図である。図６において、情報記録媒体１０１２は、情報入力部１０１３、権利管理部１０１５及び情報再生部１０１４に接続されている。そして、情報再生部１０１４及び情報入力部１０１３は、権利管理部１０１５に接続されている。さらに、権利管理部１０１５には、再生選択部１０１６及び表示部１０１７が接続されている。そして、以上の構成により、情報記録再生装置１０１１を成している。
【００４３】
次に、その動作について説明する。情報記録再生装置１０１１においては、権利管理部１０１５の制御の下に、情報記録再生装置１０１１への入力、情報記録媒体１０１２への記録及び再生が行なわれる。情報入力部１０１３への入力または情報記録媒体１０１２への記録を制御する場合には、権利管理部１０１５は、図５に示す情報提供装置１００１の制御部１００５と、後述する内容の通信１０７を行なう。その結果に基づいて、制御信号１１６によって、情報入力部１０１３の情報入力機能または情報記録機能が制御される。そして、信号１０３は、情報入力部１０１３を通して情報記録媒体１０１２に情報１１１として送られる。
【００４４】
一方、情報記録媒体１０１２からの再生を制御する場合には、権利管理部１０１５においては、情報記録媒体１０１２に記録されている情報のうち、その情報自身の種類や再生条件などの情報１１８を読み出す。それが表示情報１１５として表示部１０１７に送って表示される。この表示情報１１５に基づいて、装置の使用者が再生選択部１０１６によって入力した再生選択信号としての再生選択情報１１４が、権利管理部１０１５に送られる。そして、権利管理部１０１５においては、後述する処理を行なうことによって、情報再生部１０１４に再生制御信号１１７を送る。これに基づいて、情報再生部１０１４においては、情報記録媒体１０１２から情報１１２を読み出し、音や映像、テキストなどの再生信号１１３を出力する。ただし、再生信号１１３が映像やテキストである場合には、例えば、その映像やテキストが表示部１０１７上に再生されても良い。
【００４５】
図７は、図５に示す情報提供装置１００１における制御部１００５の実施例を示したものである。図７において、メモリ１０２１は、ＣＰＵ１０２２に接続され、ＣＰＵ１０２２は、乱数発生部１０２３に接続されている。以上のように、制御部１００５は、メモリ１０２１とＣＰＵ１０２２及び乱数発生部１０２３で構成されている。そして、メモリ１０２１には、暗号化された秘密鍵Ｋが記録されている。その動作については、後のフローチャートで述べる。
【００４６】
図８は、図６に示す情報記録再生装置１０１１における権利管理部１０１５の実施例を示したものである。図８において、メモリ１０３１は、ＣＰＵ１０３２に接続されている。そして、権利管理部１０１５は、メモリ１０３１及びＣＰＵ１０３２で構成されている。また、メモリ１０３１には、暗号化された鍵情報としての秘密鍵Ｋ及び権利管理情報としての残度数情報Ｄが記録されている。
【００４７】
ここで残度数情報Ｄとは、情報記録再生装置１０１１が、その時点で、あと何回外部から情報を入手して記録してもいいか、あるいは、何回その情報を再生してもいいか、という権利情報を表すものである。ただし、残度数情報Ｄは、それら記録または再生の回数を直接表すものでなくても良い。例えば、残度数情報Ｄは、その情報を記録または再生するのに必要な権利の単位の数量を表し、情報の内容によって異なる数量の単位が記録または再生時に減じられていくものとしても良い。また、残度数というのも権利管理情報の一例であり、例えば、残度数のかわりに、記録や再生の許される有効期限が記録してあってもよい。その動作については、後のフローチャートで述べる。
【００４８】
図９は、本発明の情報提供収集装置の一実施例において、情報記録再生装置への記録時に決済が行なわれる場合ついて説明するフローチャートである。ここで図９において、情報提供装置１００１及び情報記録再生装置１０１１間の通信１０７及び情報の送受信信号１１３の実施例について説明を行なう。
【００４９】
先ずステップ１で、情報の入手希望者は、情報記録再生装置１０１１を情報提供装置１００１に挿入し、出力選択部１００６を用いて出力選択を行なう。ステップ２で、制御部１００５は、この出力選択情報１０４を受信する。それと共に、ステップ１０で、制御部１００５と権利管理部１０１５との間で通信２０１が行なわれる。そして、後述する方法により、権利管理部１０１５の認証が行なわれる。ステップ３で、これにより権利管理部１０１５の正当性が証明されれば、ステップ５で、その情報の入手に必要な度数２０２が権利管理部１０１５に送信される。しかし、ステップ３で、もし正当性が証明されない場合には、ステップ４が実行される。ステップ４では、正当性が証明されないことが表示部１００７に表示され、情報記録再生装置１０１１が排出されるなどのコピー不可処理１が行なわれる。
【００５０】
一方、ステップ５で、その正当性が証明された権利管理部１０１５は、ステップ１１で、情報の入手に必要な度数情報を受信する。ステップ１２では、権利管理部１０１５は、上記必要度数情報と権利管理部１０１５自身が保持する残度数情報Ｄとを比較する。そして、もし必要度数が残度数よりも等しいか、少なければ、ステップ１３で、コピー要求信号２０３が制御部１００５に送信される。ステップ６では、制御部１００５は、コピー要求信号２０３を受信する。ステップ７では、情報記録媒体１００３内の情報が情報１０３として情報記録再生装置１０１１に送信される。そして、ステップ１４で、情報記録再生装置１０１１は、情報１０３を受信し記録する。それと共に、ステップ１５で、残度数が減ずるように変更される。
【００５１】
一方、ステップ１２で、必要度数が残度数より大きい場合には、ステップ１６で、権利管理部１０１５はコピー不可処理２要求信号２０５を送信する。ステップ８では、制御部１００５はコピー不可処理２要求信号２０５を受信する。そして、ステップ９で、コピー不可であることが表示部１００７に表示されるなどのコピー不可処理２が行なわれる。このようにして、情報送信が行なわれたり、必要度数が残度数より大きいためにコピー不可処理２が行なわれる。
【００５２】
ところで、以上の処理後、情報入手希望者が別の情報の入手を希望する場合がある。その場合は、情報記録媒体１０１２に十分な記録領域が確保できるのであれば、情報入手希望者が、別の情報の入手を希望することを情報記録装置に入力する。そして、情報提供装置１００１及び情報記録再生装置１０１１は上述の処理を繰り返すようにしても良い。なお、権利管理情報として、残度数のかわりに有効期限が記録されている場合も考えられる。その場合には、権利管理部１０１５は、必要度数と残度数との比較ではなく、図では省略されているクロックに基づいて、現在の日付時刻と有効期限との比較を行なう。そして、残度数の変更にあたるような処理は不用になる。
【００５３】
図１０は、図９に示す認証のための通信２０１について説明するフローチャートである。先ず、ステップ３１で、制御部１００５は乱数Ｐを発生する。ステップ３２で、上記乱数Ｐが権利管理部１０１５に送信される。それと共に、ステップ３３で、秘密鍵Ｋと乱数Ｐに依存する関数ｆ（Ｋ，Ｐ）の値Ａが計算される。
【００５４】
一方、ステップ３６で、権利管理部１０１５は乱数Ｐを受信する。そして、ステップ３７でも、関数ｆ（Ｋ，Ｐ）の値Ｂが計算される。ステップ３８で、上記値Ｂが制御部１００５に送信される。ステップ３４で、値Ｂを受信した制御部１００５は、値Ａと値Ｂとを比較する。ステップ３５で、値Ａと値Ｂとが、もし一致していれば、この権利管理部１０１５は正しい秘密鍵Ｋの値を保持し、正しい決済を行なう正当なものであると判断される。しかし、値Ａと値Ｂとが、もし一致しなければ、この権利管理部１０１５は不当なものであると見なされる。
【００５５】
ここで、認証の方法としては、例えば、権利管理部１０１５が保持している秘密鍵Ｋを直接、制御部１００５に送信し、制御部１００５が正しい秘密鍵Ｋの値が送られてきたかを検証するという方法も採ることができる。しかし、実施例のような方法が用いられれば、秘密鍵Ｋが、制御部１００５や権利管理部１０１５の外部に出ることはないので、安全性が高められる。また、認証の方法としては、後述する公開鍵暗号を利用した方法を用いることももちろん、可能である。
【００５６】
図１１は、本発明の情報提供収集装置の一実施例において、権利管理部１０１５が情報の記録時ではなく、再生時に情報使用の決済を行なう場合の処理の流れについて説明するフローチャートである。ステップ５１で、情報記録媒体１０１２に記録されている情報のうち、どの部分を再生するか再生選択がなされる。ステップ５２で、権利管理部１０１５においては、残度数が再生に必要な度数以上であるかどうかを調べ、もしそうであれば、ステップ５４が実行される。そして、情報が再生されると共に、ステップ５５で、残度数が減ずるように変更される。一方、ステップ５２で、残度数が必要度数に満たない場合には、ステップ５３で、残度数が必要度数に満たないことが表示部１０１７に表示されるなどの再生不可処理が行なわれる。
【００５７】
なお、残度数のかわりに有効期限が記録されている場合も考えられる。その場合には、権利管理部１０１５おいては、必要度数と残度数との比較ではなく、図では省略されているクロックに基づいて、現在の日付時刻と有効期限との比較を行なう。そして、この場合には、残度数の変更にあたるような処理は不用になる。なお、このように再生時に権利管理が行なわれる場合、記録媒体への書き込みは必ずしも情報提供装置を通じて行なわれなくても良い。例えば、マスクＲＯＭに記録されている情報が上述の方法で再生時に決済されるようにしても良い。
【００５８】
図１２は、図２の実施例における情報記録再生装置の構成を示すブロック図である。図１２において、情報記録再生装置は、情報記録装置１０４１と情報再生装置１０５１とに分離している。権利管理部１０４５は、情報入力部１０４４及び情報出力部１０４２とに接続され、情報入力部１０４４は、情報記録媒体１０４３に接続されている。また、情報記録媒体１０４３は、情報出力部１０４２に接続されている。以上の構成により、情報記録装置１０４１を成している。
【００５９】
一方、情報再生部１０５２は、再生制御部１０５３に接続され、再生制御部１０５３は、再生選択部１０５４及び表示部１０５５に接続されている。以上の構成により、情報再生装置１０５１を成している。そして、情報出力部１０４２は、情報再生装置１０５１に接続され、権利管理部１０４５は、再生制御部１０５３に接続されている。図１の実施例の場合と対応する部分には同一の符号を付してあり、その説明は適宜省略する。なお、情報記録装置１０４１は、１枚のカードに実装されている。
【００６０】
次に、その動作について説明する。図１２の場合には、図６に示す権利管理部１０１５の機能は、権利管理部１０４５と再生制御部１０５３に分離されている。情報記録媒体１０４３に情報が記録される時に、その情報の権利管理が行なわれる場合には、権利管理部１０４５は図６の権利管理部１０１５と同様に機能する。一方、情報記録媒体１０４３からの再生時に権利管理が行なわれる場合には、権利管理部１０４５及び再生制御部１０５３が、それら両者間の通信１２０を通じて、図６の権利管理部１０１５と同様の機能を果たす。
【００６１】
尚、この場合、権利管理部１０４５は、情報出力部１０４２の出力を制御信号１２１によって制御する。そのことにより、情報の再生が許可されたり禁止されたりする。もちろん、情報記録媒体１０４３からの出力そのものが制御されることによっても、同様の機能を実現することは可能である。尚、不当な情報再生装置によって情報が再生されることを防ぐため、例えば、再生選択の前に、情報記録装置１０４１による情報再生装置１０５１の認証が行なわれるようにしても良い。
【００６２】
本発明において、残度数などの権利管理情報は、重要な役割を持つ。そして、上記権利管理情報は、正当な権利管理情報更新装置を用いて、安全かつ容易に更新することが可能である。以下、これについて説明を行なう。
【００６３】
図１３は、権利管理情報更新装置の実施例の外観を示したものである。権利管理情報更新装置の前面には、情報記録（再生）装置を出し入れする挿入排出口及びコイン投入口がついている。その動作について説明する。権利管理情報の更新が必要な場合には、情報記録（再生）装置が挿入排出口に挿入されると共に、コイン投入口に必要な対価が入れられる。ただしもちろん、権利管理情報更新装置が人手によって管理され、その人が更新希望者から対価を受け取って、情報記録（再生）装置を挿入排出口に挿入するようにしても良い。
【００６４】
図１４は、図１３の実施例において、権利管理部１０１５及び権利管理情報更新装置１０６１の構成を示すブロック図である。ただし、権利管理情報の更新に直接関係しない部分については省略してある。図１４において、権利管理部１０１５には、図８に示された他に乱数発生部１０３３が装備されており、また、メモリ１０３１には、暗号化された鍵情報としての復号化鍵Ｌ及び残度数情報Ｄが記録されているものとする。この復号化鍵Ｌの意味と働きについては後述する。そして、乱数発生部１０３３及びメモリ１０３１は、ＣＰＵ１０３２に接続されている。また一方、権利管理情報更新装置１０６１には、メモリ１０６２，ＣＰＵ１０６３及びコイン受入部１０６４が装備されている。そして、メモリ１０６２には、暗号化鍵Ｍが記録されているものとする。この暗号化鍵Ｍは前述の復号化鍵Ｌと対になるものであるが、その意味と働きについては後述する。メモリ１０６２及びコイン受入部１０６４はＣＰＵ１０６３に接続されている。そして、ＣＰＵ１０３２とＣＰＵ１０６３とが、通信３０１を行なうことによって、権利管理情報の更新は行なわれる。
【００６５】
図１５は、図１３の実施例において、権利管理部１０１５及び権利管理情報更新装置１０６１の処理のフローチャートを示したものである。権利管理情報更新装置１０６１に権利管理部１０１５が挿入されると、ステップ６１で、権利管理部１０１５によって権利管理情報更新装置１０６１の認証３０２が始まる。認証の結果、ステップ６２で、権利管理情報更新装置１０６１が正当なものであると認められれば、ステップ６３で、残度数更新のための処理が準備される。しかし、ステップ６２で、正当であると認められなければ、残度数更新拒否処理が行なわれる。ここで、残度数更新拒否処理は単に何もしないだけでも良いが、権利管理情報更新装置１０６１にその残度数更新拒否をすることが送信されても良い。
【００６６】
次に、残度数更新の処理として、ステップ６５で、認証が開始された後、ステップ６６で、権利管理情報更新装置１０６１はコインの投入を確認する。ステップ６７で、入金された額３０３が権利管理部１０１５に送信される。ステップ６３で、権利管理部１０１５が上記額３０３を受信し、ステップ６４で、その額に応じて残度数が増加するように変更される。一方、権利管理情報更新装置は排出口から情報記録（再生）装置を排出する。
【００６７】
図１６は、図１３の実施例において、認証の処理の流れを示したものである。認証の方法としては、例えば、図１０に示したものと同じように権利管理部１０１５と権利管理情報更新装置１０６１とで共通の秘密鍵を用いて行なうこともできる。しかし、そのような方法をとった場合、万が一、権利管理部１０１５に記録されている秘密鍵の情報が漏洩すると、不当な権利管理情報更新装置の制作が可能になる。
【００６８】
一般に、正当な権利管理情報更新装置は、厳重に管理することが可能である。しかし、情報記録（再生）装置は多数の人が使用するため、厳重に管理することが難しい。しかも、不当な権利管理情報更新装置が１台でもできると、それによって多数の情報記録（再生）装置内の残度数が更新され得るので危険である。そのため、この実施例では、公開鍵暗号を用いた認証を利用している。
【００６９】
公開鍵暗号ついては、例えば  Ｃｒｙｐｔｏｇｒａｐｈｙａｎｄ  Ｄａｔａ  Ｓｅｃｕｒｉｔｙ，Ｄｏｒｏｔｈｙ  Ｅｌｉｚａｂｅｔｙ  Ｒｏｂｌｉｎｇ  Ｄｅｎｎｉｎｇ，１９８２  Ａｄｄｉｓｏｎ−Ｗｅｓｌｅｙ  Ｐｕｂｌｉｓｈｉｎｇ  Ｃｏｍｐａｎｙ，Ｉｎｃ．，Ｒｅａｄｉｎｇ，Ｍａｓｓ．，Ｕ．Ｓ．Ａ．）（日本語訳）暗号とデータセキュリティ  上園忠弘、小嶋格、奥島晶子訳    培風舘に詳細が記述されている。この技術を使うと、情報の暗号化時に使われる暗号化鍵と、暗号化情報の復号化時に使用される復号化鍵とが別なものに設定できる。しかも、復号化鍵が知られても、それから暗号化鍵を知ることは極めて困難なものにすることができ、安全性が高まる。
【００７０】
以下、図１６に示された認証のための処理手順について述べる。まず、ステップ８１で、権利管理部１０１５は乱数Ｑを発生する。ステップ８２で、乱数Ｑが権利管理情報更新装置１０６１に送信される。それと共に、ステップ８６で、権利管理情報更新装置１０６１が乱数Ｑを受信する。ステップ８７で、権利管理情報更新装置１０６１は、暗号化鍵Ｍと乱数Ｑとに依存する関数ｅ（Ｍ，Ｑ）の値Ｒを計算する（暗号化）。ステップ８８で、値Ｒが権利管理部１０１５に送信されると共に、ステップ８３で、値Ｒが権利管理部１０１５に受信される。ステップ８４で、権利管理部１０１５は、復号化鍵Ｌと値Ｒとに依存する関数ｄ（Ｌ，Ｒ）の値Ｓを計算する（復号化）。ステップ８５で、値Ｓが乱数Ｑと一致するかどうか調べられる。そして、値Ｓと乱数Ｑとがもし一致しているのであれば、権利管理情報更新装置１０６１は正当なものであると判断される。しかし、値Ｓと乱数Ｑとが一致しなければ、権利管理情報更新装置１０６１は不当なものであると判断される。
【００７１】
以上のように、本発明では、情報をコピーする側の情報提供装置ではなく、情報記録媒体と一体となった情報記録（再生）装置の側が決済等の権利管理を行なう機能を持つ。そのことにより、情報記録媒体への記録時だけでなく再生時の決済が可能になる。それと共に、記録時の決済の場合にも、情報入手者に余分な負担がかからないことが可能である。また、本発明による方法では、情報記録装置への記録媒体の挿入口と排出口とが分離している。それで、各利用者は挿入口に記録媒体を挿入した後、排出口へと移動することにより、多数の利用者が次々と情報記録装置を利用することが可能となる。そして、暗号化鍵を知ることは極めて困難なものにすることができ、安全性が高まる。
【００７２】
図１７は図４の情報提供装置の内部の構成例を示したものである。図１７において、挿入口２００２と排出口２００３とが情報転送部２００１を介してベルト２００４により連絡されている。
【００７３】
次に、その動作について説明する。挿入口２００２から挿入された情報記録装置は、ベルト２００４によって、情報転送部２００１に送られる。そして、情報転送部２００１では、上記情報記録装置内の記録媒体に情報が記録される。その後、上記情報記録装置は、ベルト２００４によって排出口２００３へと運ばれ排出される。もちろん、ベルト２００４のかわりに、例えば、高圧の空気によって上記情報記録装置が移動されても良い。
【００７４】
図１８は情報転送部２００１の内部構成を示したものである。図１８において、情報記録媒体２０１２は、例えば、半導体メモリ等で構成されている。制御部２０１１は、記録部２０１３及び情報記録媒体２０１２に接続されている。そして、情報記録媒体２０１２と記録部２０１３とは接続されている。さらに、記録部２０１３には端子２０１４が接続されている。
【００７５】
次に、その動作について説明する。情報記録媒体２０１２に記録されている情報４０２は、制御部２０１１からの制御信号４０１に基づいて記録部２０１３へと送られる。さらに、記録部２０１３から出力された情報４０４が、端子２０１４を通じて情報記録装置の端子に送られる。この情報４０４は、制御信号４０３に基づいた記録部２０１３の作用によって情報記録装置内の情報記録媒体に記録される。
【００７６】
図１９は、情報転送部のもう１つの内部構成例を示したものである。この例では、情報転送は非接触の方法で行なわれる。情報転送部２０２１は、制御部２０２２と情報記録媒体２０２３及び送信部２０２４とで構成されている。制御部２０２２は、送信部２０２４及び情報記録媒体２０２３に接続されている。そして、情報記録媒体２０２３と送信部２０２４とは接続されている。さらに、送信部２０２４は電磁波などの方法により、情報記録装置２０３１内の受信部２０３２と連絡されている。また、情報記録装置２０３１は、受信部２０３２と記録部２０３３及び情報記録媒体２０３４とで構成されている。そして、受信部２０３２は記録部２０３３に接続され、記録部２０３３は情報記録媒体２０３４に接続されている。
【００７７】
次に、その動作について説明する。情報記録媒体２０２３に記録されている情報５０２は、制御部２０２２からの制御信号５０１に基づいて送信部２０２４へと送られる。送信部２０２４においては、制御信号５０３に基づいて、情報５０４を情報記録装置２０３１内の受信部２０３２に電磁波などの方法により送信する。この情報５０４は、記録部２０３３の作用によって情報記録媒体２０３４に記録される。
【００７８】
以上のように、本発明による方法においては、情報提供装置への記録媒体の挿入口２００２と排出口２００３とを分離した。そして、利用者は挿入口２００２に記録媒体を挿入した後、排出口２００３へと移動する。そのことにより、多数の利用者が次々と情報提供装置を利用することが可能である。
【００７９】
図２０は、図１９の情報記録装置及び情報再生装置のブロック図である。図２０において、情報記録装置１０７１には情報記録媒体１０７３及び権利管理部１０７２が装備されている。権利管理部１０７２は、例えばＣＰＵ及びメモリから構成されている。そのメモリには、情報記録媒体に記録されている情報を再生する権利が記録されている。その権利は、例えば、情報記録媒体内の情報をあと何度再生することができるか等を表す残度数である。そして情報記録媒体１０７３は権利管理部１０７２に接続されている。一方、情報再生部１０７８は再生制御部１０７７に接続され、再生制御部１０７７は再生選択部１０７５及び表示部１０７６に接続されている。以上の構成により、情報再生装置１０７４を成している。
【００８０】
次に、その動作について説明する。権利管理部１０７２において、先ず、情報記録媒体１０７３に記録されている情報のうち、その情報自身の種類や再生に必要な権利の度数等の情報１２２を読み出す。そして、再生制御部１０７７に通信１２４が送信される。再生制御部１０７７においては、信号１２７を表示部１０７６に送り通信１２４の内容を表示する。情報利用希望者が、再生選択部１０７５を用いて、情報記録媒体１０７３に記録されているもののうち、どれを再生するかを選択する。すると、その選択情報１２６は再生制御部１０７７に送られる。その選択情報１２６は、さらに通信１２４を通じて、権利管理部１０７２に送られる。権利管理部１０７２においては、残度数が、その情報を再生するのに必要な度数以上であるかを調べる。そして、残度数が、その情報を再生するのに必要な度数以上であれば、その情報は再生可能と見なされる。それと共に、残度数から必要度数分が減じられる。
【００８１】
しかし、残度数が、その情報を再生するのに必要な度数以下であれば、その情報は再生不可と見なされる。再生可能であれば、制御信号１２３が情報記録媒体１０７３に送信される。それと共に、通信１２４が再生制御部１０７７に送信される。そこで、情報記録媒体１０７３は、記録されている情報１２５を出力する。その情報１２５は情報再生部１０７８に送信される。再生制御部１０７７から、情報再生の制御信号１２８が情報再生部１０７８に送られる。そして、情報再生部１０７８においては、受信した情報１２５を音声信号等１２９に変換して出力する。
【００８２】
以上のように、図２０に示された情報記録装置及び情報再生装置を使用すれば、再生時に、その情報利用の選択及び決済を実現することができる。
【００８３】
図２１は、情報提供と情報収集が同時に容易に行なえる実施例における情報記録再生装置の外観を示したものである。図２１において、情報記録再生装置の前面には表示部及び選択部が装備されている。また、情報記録再生装置の側面には、イヤホン及び情報提供収集装置結合端子６０１，６０２が装備されている。
【００８４】
次に、その動作について説明する。情報提供収集装置結合端子６０１を通じて、情報提供装置から情報記録再生装置内に設置された記録媒体に情報がコピーされる。また、情報提供収集装置結合端子６０２を通じて、情報提供装置へ情報記録再生装置内に設置された記録媒体から情報が転送される。ただし、情報提供収集装置結合端子６０１，６０２は、実際には同一の端子を切り替えて使用されるようにしてもよい。さらに、この実施例の装置には表示部と再生ボタンが装備されている。表示部には装置内に記録された情報の内容が表示される。上記表示部に表示されたものをもとに、装置の使用者は、選択ボタンを用いて必要な情報を選択的に再生することができる。また、利用者は、その他の選択情報を入力したりすることもできる。
【００８５】
図２２は、図２１の実施例に対するもう１つの実施例の外観図である。この例では、図２１の情報記録再生装置が、情報記録装置と情報再生装置とに物理的に分離して構成されている。そして、上記情報記録装置の構成要素が１枚のカードに実装されている。図２１の場合と対応する部分には同一の符号を付してあり、その説明は適宜省略する。図２２の実施例の装置には、情報再生装置結合端子６０３がついている。
【００８６】
次に、その動作について説明する。情報提供収集装置結合端子６０１を通じて、情報提供装置から情報記録再生装置内に設置された記録媒体に情報がコピーされる。また、情報提供収集装置結合端子６０２を通じて、情報提供装置へ情報記録再生装置内に設置された記録媒体から情報が転送される。ただし、情報提供収集装置結合端子６０１，６０２は、実際には同一の端子を切り替えて使用されるようにしてもよい。また、再生時には、情報記録装置と情報再生装置との間で、データ及び制御のやりとりが必要になる。それで、上記情報記録装置と情報再生装置とを結合する情報再生装置結合端子６０３が、情報記録装置及び情報再生装置に装備されている。ただし、情報記録装置の情報提供収集装置結合端子６０１，６０２及び情報再生装置結合端子６０３は、実際には１つの端子を切り替えて使用されるように構成されることも可能である。
【００８７】
図２３は、図２１または図２２の実施例における情報提供装置の外観図である。図３の実施例と対応する部分には同一の符号を付してあり、その説明は適宜省略する。情報提供装置内には記録媒体が設置され情報が記録されている。この実施例の情報提供装置には、伝達手段としての有線で他の装置に接続されている。
【００８８】
次に、その動作について説明する。上記有線を通じて、他の装置から情報提供装置へ情報が送信されたり、情報提供装置内の情報が他の装置へ送信されたりすることが可能である。もちろん、上記有線は無線に代えて使用されることも可能である。また、上記情報提供装置への伝達手段とその他の装置からの伝達手段とは物理的に別なものでも良い。ただし、もちろん、情報提供集装置への情報の入力は通信手段によらなくても、たとえば記録済みの記録媒体が直接、情報提供装置に挿入されても良い。また、情報提供装置からの情報の出力についても、情報提供装置内の記録媒体が取り外されたり、他の記録媒体へコピーされたりすることによって実現することもできる。そして、情報入手希望者は、欲しい情報を選択することができる。情報入手希望者は、情報提供装置の挿入排出口に、自分のもっている情報記録再生装置または情報記録装置を挿入する。そして、コピーを受けることによって情報が入手される。また、上記情報記録再生装置あるいは情報記録装置内の情報は、それらの装置が情報提供装置に挿入されてから排出されるまでの間に収集される。上記情報は、情報提供装置内の記録媒体に転送されることによって、迅速かつ容易に収集される。なお、情報提供装置内の記録媒体としては、特に限定はないが、高速にコピーが可能でランダム・アクセスが可能なＩＣメモリによって構成されると便利である。
【００８９】
図２４は、図２３の実施例における情報提供装置のブロック図である。また、図２５は、図１０の実施例における情報記録再生装置のブロック図である。
【００９０】
図２４において、記録媒体３００３は制御部３００４に接続されている。制御部３００４には、記録媒体３００７と選択部３００５及び表示部３００６が接続されている。そして、以上の構成により、情報提供装置３００１を成している。また、伝達部３００８は制御部３００４に接続され、伝達部３００２は記録媒体３００３に接続されている。
【００９１】
図２５において、再生部４０１２は記録媒体４０１３に接続され、記録媒体４０１３は制御部４０１４に接続されている。そして、制御部４０１４には、記録媒体４０１７と選択部４０１５及び表示部４０１６が接続されている。
【００９２】
次に、その動作について説明する。情報提供装置３００１では、有線、無線等の伝達部３００２によって送られてきた情報４０１が、記録媒体３００３に記録される。制御部３００４においては、記録媒体３００３から情報の内容等を示す情報４０４を読み出して、表示部３００６に表示情報４０７として送り表示する。情報入手希望者は、この表示情報を参考にしてどの情報を入手するかを、選択手段３００５を通じて入力する。選択部３００５は、選択信号４０６を制御部３００４に送る。そして、制御部３００４においては、情報記録再生装置４０１１の制御部４０１４との通信４０３に基づいて、情報を出力するか否かの制御信号４０５を記録媒体３００３に送る。さらに、記録媒体３００３においては、その制御によって情報４０２を情報記録再生装置４０１１に送る。
【００９３】
ここで、制御部３００４と制御部４０１４との間の通信４０３の一例について説明を行なう。制御部４０１４においては、情報記録再生装置４０１１が情報提供装置３００１からコピーを受ける権利情報の値、例えば残度数情報Ｄを記憶している。一方、制御部３００４においては、情報入手希望者がコピーを希望する情報をコピーした場合に、残度数情報Ｄから減じる値、必要度数ｄを制御部４０１４に送信する。制御部４０１４においては、残度数情報Ｄと必要度数ｄとの比較を行なう。ここで、Ｄがｄより大きいか等しければ、制御部３００４にコピー要求信号が送信されると共に、Ｄからｄを減じた値が新たな残度数情報Ｄの値とされる。また、Ｄがｄより小さい場合には、制御部３００４にコピー不要求信号が送信される。情報４０２の送信と同時に、または前後して、情報提供装置３００１は情報記録再生装置４０１１から通信４０３を受信する。ここで、通信４０３の内容は、情報記録再生装置４０１１において、記録媒体３００３に記録されたどの情報が何回再生されたか、といった情報である。その情報は記録媒体３００７に記録される。そして、制御部３００４においては、例えば一定時間毎に、記録媒体３００７に蓄積された情報４０８を読み出す。さらに、制御部３００４においては、その情報４０８に統計的な処理を加えた情報４０９が、計算されて伝達部３００８に送出される。
【００９４】
ただし、情報記録再生装置４０１１から送られてきた情報（通信４０３）は、制御部３００４によって必ずしも記録媒体３００７に蓄積されなくとも良い。そして、情報（通信４０３）は、直接あるいは統計処理等を施して伝達部３００８に送出されても良い。また、情報（通信４０３）が記録媒体３００７に蓄積された場合においても、伝達部３００８に送りだす前に、特別の統計処理は行なわれなくても良い。さらにまた、制御部３００４が記録媒体３００７に情報を記録する前に、統計処理などが施されても良い。
【００９５】
一方、情報提供装置３００１から情報の入手後、情報再生希望者の要求にしたがって、情報記録再生装置４０１１ではまず、制御部４０１４は、記録媒体４０１３から情報の内容等５１２を読み出す。そして、その情報は表示部４０１６に表示情報５１５として送られて表示される。情報再生希望者は、この表示情報を参考にして、どの情報を再生するかを、選択部４０１５を通じて入力する。選択部４０１５は選択信号５１４を制御部３０１４に送る。そして、制御部４０１４においては、選択信号５１４に基づいて、記録媒体４０１３に制御信号５１３を送る。その制御信号５１３に基づいて、記録媒体４０１３は情報５１１を出力する。そして、再生部４０１２は情報５１１を再生する。また、制御部４０１４においては、選択部４０１５への入力に依存する情報５１６を、記録媒体４０１７に記録する。情報記録再生装置４０１１が次回、情報提供装置３００１と結合される時、記録媒体４０１７に記録された情報は、制御部４０１４を通じて、情報提供装置３００１に送られる。
【００９６】
ここで、「選択部４０１５への入力に依存する情報」とは、例えば、再生選択信号５１４そのものであっても良い。この場合、情報記録再生装置４０１１の使用者の情報再生利用実態に関する情報が得られる。「選択部４０１５への入力に依存する情報」の別の例として、クイズ情報に関する解答選択情報、あるいは、それを統計処理した情報であってもよい。この場合、情報記録再生装置４０１１の使用者のクイズに対する正解率が得られる。「選択部４０１５への入力に依存する情報」の別の例として、アンケートに関する解答選択情報、あるいは、それを統計処理した情報であっても良い。上記情報が例えば、記録媒体４０１３から再生された音楽のうち、情報記録再生装置４０１１の使用者が最も気に入ったものの選択情報とする。その選択情報が統計処理されることによって、どの音楽に人気があるかが把握される。
【００９７】
なお、多数の情報提供装置において収集された情報がセンターに集められ、それらの情報が統計処理されることによって、より有為な情報利用にかんするデータが得られる。また、情報記録再生装置から情報提供装置に送られる情報によって、情報提供装置から情報記録再生装置への条件を変化させても良い。例えば、上述のアンケートに協力する場合には、情報提供装置において、情報入手のための必要度数ｄの値を予め小さくしても良い。こうすることによって、情報使用者はより安価で情報入手が可能となり、情報提供者はより多くの使用者からのアンケート結果を期待することができる。また、クイズ情報を提供する場合には、情報提供装置において、その正解率によって必要度数ｄの値を変化させてもよい。こうすることにより、情報利用者はゲーム性を楽しむことができる。なお、記録媒体３００３及び記録媒体３００７においては、一体となっている記録媒体の異なる部分を使用するようにしても良い。
【００９８】
図２６は、図２２に示す実施例の構成を示すブロック図である。図２６において、記録媒体５０１７は制御部５０１８に接続され、制御部５０１８は記録媒体５０１３に接続されている。そして、以上の構成により、情報記録装置５０２１を成している。一方、再生部５０１２は制御部５０１９に接続されている。また、制御部５０１９は選択部５０１５及び表示部５０１６接続されている。そして、以上の構成により、情報再生装置５０３１を成している。
【００９９】
次に、その動作について説明する。この実施例の場合には、図２５に示す制御部４０１４の機能が、制御部５０１８と制御部５０１９及び通信６２１によって実現される。先ず、情報提供装置３００１から送られてきた情報１０２が、記録媒体５０１３に記録される。情報再生希望者の要求にしたがって、情報記録装置５０２１では、制御部５０１８が、記録媒体５０１３から情報の内容等６１２を読み出す。そして、その情報は、制御部５０１９から通信１２１を介して表示部５０１６に表示情報６１５として送られ、表示される。情報再生希望者は、この表示情報を参考にして、どの情報を再生するかを、選択部５０１５を通じて入力する。選択部５０１５は選択信号６１４を制御部５０１９に送る。そして、制御部５０１９においては、選択信号６１４に基づいて、制御部５０１８を介して、記録媒体５０１３に制御信号６１３を送る。その制御信号６１３に基づいて、記録媒体５０１３は情報６１１を出力する。そして、再生部５０１２は制御信号６１７に基づき情報６１１を再生する。また、制御部５０１８においては、選択部５０１５への入力に依存する情報６１６を、記録媒体５０１７に記録する。情報記録装置５０２１が次回、図２４に示す情報提供装置３００１と結合される時、記録媒体５０１７に記録された情報は、通信１０３を介して情報提供装置３００１に送られる。
【０１００】
なお、図２４に示す情報提供装置３００１は情報提供機能と情報収集機能の両方を備えており、情報提供と情報収集が同時に容易に行なえるという利点を持っているが、これは必ずしも必要条件ではなく、情報提供装置で情報の提供を行ない、情報収集装置で情報の収集を行なうようにしてもよい。
【０１０１】
以上の説明からも明らかなように、本発明では、ＩＣメモリー等で構成された記録媒体を装備した情報記録装置に音楽やクイズ等の番組が、情報提供装置から転送される。それと共に、これらの番組を再生する際に、視聴者が入力した選択情報が記録される。そして、これらの情報が情報提供装置に転送される。そのことにより、視聴者の反応に関する情報が得られる。そして、情報提供者が容易に、情報利用者の情報利用実態や好み等を把握することができる。さらにこうした情報を利用してサービス内容を充実させることができる。
【０１０２】
以上の如く、本発明によれば、柔軟な料金支払いが可能となる。また、本発明によれば、情報管理の安全性を高めることが可能となる。
【図面の簡単な説明】
【０１０３】
【図１】本発明の情報提供収集装置の一実施例における情報記録再生装置の外観を示した外観図である。
【図２】本発明の情報提供収集装置の一実施例において、情報記録再生装置が、情報記録装置と情報再生装置とに物理的に分離して構成されている場合の外観を示す外観図である。
【図３】本発明の情報提供収集装置の一実施例における情報提供装置の外観を示す外観図である。
【図４】本発明の情報提供収集装置のもう１つの実施例における情報提供装置の外観を示す外観図である。
【図５】本発明の情報提供収集装置の一実施例における情報提供装置の構成を示すブロック図である。
【図６】本発明の情報提供収集装置の一実施例における情報記録再生装置の構成を示すブロック図である。
【図７】図５に示す情報提供装置１００１における制御部１００５の実施例の構成を示すブロック図である。
【図８】図６に示す情報記録再生装置１０１１における権利管理部１０１５の実施例の構成を示すブロック図である。
【図９】本発明の情報提供収集装置の一実施例において、情報記録再生装置への記録時に決済が行なわれる場合ついて説明するフローチャートである。
【図１０】図９に示す認証のための通信２０１について説明するフローチャートである。
【図１１】本発明の情報提供収集装置の一実施例において、権利管理部１０１５が情報の記録時ではなく、再生時に情報使用の決済を行なう場合の処理の流れについて説明するフローチャートである。
【図１２】図２の実施例における情報記録再生装置の構成を示すブロック図である。
【図１３】本発明の情報提供収集装置の一実施例において、権利管理情報更新装置の実施例の外観を示す外観図ある。
【図１４】図１３の実施例において、権利管理部１０１５及び権利管理情報更新装置１０６１の構成を示すブロック図である。
【図１５】図１３の実施例において、権利管理部１０１５及び権利管理情報更新装置１０６１の処理を説明するフローチャートである。
【図１６】図１３の実施例において、認証の処理の流れを説明するフローチャートである。
【図１７】図４の実施例における情報提供装置の内部の構成を示すブロック図である。
【図１８】図１７の実施例における情報転送部２００１の内部構成を示したものである。
【図１９】図１７の実施例における情報転送部のもう１つの内部構成を示したものである。
【図２０】図１９の実施例における情報記録装置及び情報再生装置の構成を示すブロック図である。
【図２１】本発明の情報提供収集装置の一実施例において、情報提供と情報収集が同時に容易に行なえる実施例における情報記録再生装置の外観を示す外観図である。
【図２２】図２０の実施例における情報記録再生装置に対するもう１つの実施例の外観を示す外観図である。
【図２３】図２０または図２１の実施例における情報提供装置の外観を示す外観図である。
【図２４】図２２の実施例における情報提供装置の構成を示すブロック図である。
【図２５】図１０の実施例における情報記録再生装置の構成を示すブロック図である。
【図２６】図２１に示す実施例における情報記録再生装置の構成を示すブロック図である。
【符号の説明】
【０１０４】
１０３  信号，  １１１，１１２，１１８  情報，  １１３  再生信号，  １１４  再生選択情報（再生選択信号），  １１５  表示情報，  １１６  制御信号，  １１７  再生制御信号，  １０１１  情報記録再生装置，  １０１２  情報記録媒体，  １０１３  情報入力部，  １０１４  情報再生部  １０１５  権利管理部（権利管理手段），  １０１６  再生選択部  １０１７  表示部
【図１】
2006202309.tif 000003
【図２】
2006202309.tif 000004
【図３】
2006202309.tif 000005
【図４】
2006202309.tif 000006
【図５】
2006202309.tif 000007
【図６】
2006202309.tif 000008
【図７】
2006202309.tif 000009
【図８】
2006202309.tif 000010
【図９】
2006202309.tif 000011
【図１０】
2006202309.tif 000012
【図１１】
2006202309.tif 000013
【図１２】
2006202309.tif 000014
【図１３】
2006202309.tif 000015
【図１４】
2006202309.tif 000016
【図１５】
2006202309.tif 000017
【図１６】
2006202309.tif 000018
【図１７】
2006202309.tif 000019
【図１８】
2006202309.tif 000020
【図１９】
2006202309.tif 000021
【図２０】
2006202309.tif 000022
【図２１】
2006202309.tif 000023
【図２２】
2006202309.tif 000024
【図２３】
2006202309.tif 000025
【図２４】
2006202309.tif 000026
【図２５】
2006202309.tif 000027
【図２６】
2006202309.tif 000028